【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
人工呼吸器であって、
加圧ガスの供給源と、
患者容器と、
前記患者容器に接続され、前記患者容器内の換気ガスの圧力を検出する第１圧力センサと、
前記ガスの供給源にソースラインを介して連通するとともに、前記患者容器に連通し、かつ換気ガスを患者に送るための吸気ラインに連通する１またはそれ以上のバルブと、
前記１またはそれ以上のバルブと接続され、前記１またはそれ以上のバルブを、換気ガスが前記ガスの供給源から前記患者容器内に送られる貯留態様と、換気ガスが前記患者容器から前記吸気ラインを介して患者に送られる供給態様との間で選択的に切り換えるコントローラとを備え、
前記コントローラは、前記第１圧力センサに接続されて、前記１またはそれ以上のバルブが前記供給態様とされているときに前記患者容器内の第１の圧力を検出して、その後に、換気ガスが前記患者容器から前記吸気ラインを介して患者に送られている間に後の圧力を検出し、
前記コントローラは、第１の圧力と後の圧力との間の差に少なくとも部分的に基づいて、患者に送る換気ガスの量を決定することを特徴とする人工呼吸器。
【請求項２】
請求項１に記載の人工呼吸器において、
前記ガスの供給源が、コンプレッサと、プレフィル容器とを備え、
前記供給態様において、前記コンプレッサが、加圧ガスを前記プレフィル容器内に送るために前記プレフィル容器と連通する一方で、前記貯留態様において、前記患者容器が、前記コンプレッサおよび前記プレフィル容器の両方から加圧ガスを受け入れるために前記コンプレッサおよび前記プレフィル容器に連通するように、前記１またはそれ以上のバルブが、前記コンプレッサおよび前記プレフィル容器に接続されていることを特徴とする人工呼吸器。
【請求項３】
人工呼吸器であって、
加圧ガスの供給源と、
プレフィル容器と、
患者容器と、
ソースラインを介して前記ガスの供給源に連通するとともに、前記プレフィル容器および患者容器に連通し、かつ換気ガスを患者に送るための吸気ラインに連通する１またはそれ以上のバルブと、
前記１またはそれ以上のバルブと接続され、前記１またはそれ以上のバルブを、換気ガスが前記患者容器から前記吸気ラインを介して患者に送られるとともに加圧ガスが前記ガスの供給源から前記プレフィル容器に送られる供給態様と、加圧ガスが前記ガスの供給源および前記プレフィル容器から前記患者容器内に送られて加圧ガスが前記患者容器内に貯留される貯留態様との間で選択的に切り換えるコントローラとを備えることを特徴とする人工呼吸器。
【請求項４】
請求項１または３に記載の人工呼吸器において、
前記コントローラが、前記１またはそれ以上のバルブを前記供給態様とした後に予め設定された時間間隔で前記患者容器内の後の圧力を検出するように構成され、
前記コントローラが、第１の圧力と後の圧力との間の差に少なくとも部分的に基づいて、患者に送る換気ガスの量を決定することを特徴とする人工呼吸器。
【請求項５】
請求項４に記載の人工呼吸器において、
前記コントローラが、各時間間隔中に送られる換気ガスの推定累積量と、予め設定された最大量とを比較するとともに、前記推定累積量が予め設定された最大量に到達または超過したときに前記吸気ラインを閉じるように前記１またはそれ以上のバルブを切り換えることを特徴とする人工呼吸器。
【請求項６】
請求項１または３に記載の人工呼吸器において、
前記コントローラが、前記患者容器からの換気ガスの流量に関する情報を必要とせずに、患者に送る換気ガスの量を決定するように構成されていることを特徴とする人工呼吸器。
【請求項７】
請求項１または３に記載の人工呼吸器において、
前記コントローラが、前記１またはそれ以上のバルブが前記供給態様にある期間に関する情報無しで、患者に送る換気ガスの量を決定するように構成されていることを特徴とする人工呼吸器。
【請求項８】
請求項１または３に記載の人工呼吸器において、
前記コントローラが、換気ガスが前記患者容器から患者に送られている間に前記患者容器内の圧力を時間とともに監視して、圧力の時間微分値を、当該微分値が予め設定されたゼロに近い閾値まで低下するまで求めるように構成され、閾値に低下するとすぐに、前記コントローラが、前記吸気ラインを閉じて、前記患者容器から患者への換気ガスの供給を中止するように、前記１またはそれ以上のバルブを作動させることを特徴とする人工呼吸器。
【請求項９】
請求項１または３に記載の人工呼吸器において、
前記供給態様において、前記吸気ラインが前記患者容器内の換気ガスのみに曝されて前記ガスの供給源から分離されるように、前記１またはそれ以上のバルブが構成されていることを特徴とする人工呼吸器。
【請求項１０】
請求項１または３に記載の人工呼吸器において、
前記１またはそれ以上のバルブが、前記ソースラインを開閉するために前記ソースラインに接続された第１バルブと、前記吸気ラインを開閉するために前記吸気ラインに接続された第２バルブとを含むことを特徴とする人工呼吸器。
【請求項１１】
請求項１または３に記載の人工呼吸器において、
加圧換気ガスの供給源が、実質的に連続的に作動するコンプレッサを含むことを特徴とする人工呼吸器。
【請求項１２】
請求項１または３に記載の人工呼吸器において、
加圧換気ガスの供給源が、純酸素および加圧空気の１またはそれ以上の供給源を含むことを特徴とする人工呼吸器。
【請求項１３】
請求項１または３に記載の人工呼吸器において、
前記患者容器から患者に送られる換気ガスの流量を制限する制限器を前記吸気ライン内にさらに備えることを特徴とする人工呼吸器。
【請求項１４】
請求項１３に記載の人工呼吸器において、
前記制限器が、患者への前記吸気ライン内の最大流量を変更するために調節可能であることを特徴とする人工呼吸器。
【請求項１５】
請求項１または３に記載の人工呼吸器において、
前記ソースラインから前記１またはそれ以上のバルブに送られる換気ガスの圧力を制限するために、前記ガスの供給源の吐出口と前記１またはそれ以上のバルブとの間の前記ソースライン内に制限器をさらに備えることを特徴とする人工呼吸器。
【請求項１６】
請求項１または３に記載の人工呼吸器において、
前記吸気ライン内の圧力を検出するために前記吸気ラインに接続された第２患者圧力センサをさらに備え、
前記コントローラが、前記患者圧力センサに接続され、前記吸気ライン内の圧力を監視して、患者が吸気を開始するときを判定し、その判定後すぐに、前記コントローラが、前記１またはそれ以上のバルブを前記供給態様に切り換えることを特徴とする人工呼吸器。
【請求項１７】
請求項３に記載の人工呼吸器において、
前記１またはそれ以上のバルブが、前記貯留態様において、前記ガスの供給源および前記プレフィル容器から前記患者容器内に加圧ガスを送るために前記患者容器と前記ガスの供給源およびプレフィル容器との間を連通する第１流路を規定するとともに、前記供給態様において、第２流路および第３流路を規定し、前記第２流路が、前記患者容器内の換気ガスを前記患者ラインを介して患者に送るために前記患者容器と吸気ラインとの間を連通させ、前記第３流路が、加圧ガスを前記プレフィル容器内に送るために前記ガスの供給源と前記プレフィル容器との間を連通させることを特徴とする人工呼吸器。
【請求項１８】
請求項３に記載の人工呼吸器において、
加圧換気ガスの供給源が、前記１またはそれ以上のバルブが前記貯留態様と前記供給態様との間で切り換えられている間に、実質的に連続的に作動するコンプレッサを含むことを特徴とする人工呼吸器。
【請求項１９】
請求項３に記載の人工呼吸器において、
前記患者容器に接続され、前記患者容器内の換気ガスの圧力を検出する容器圧力センサをさらに備え、
前記コントローラが、前記容器圧力センサに接続されて、前記１またはそれ以上のバルブが前記供給態様とされているときに前記患者容器内の第１の圧力を検出して、その後に、１またはそれ以上の時間間隔で前記患者容器内の後の圧力を検出し、
前記コントローラが、第１の圧力と後の圧力との間の差に少なくとも部分的に基づいて、患者に送る換気ガスの量を決定することを特徴とする人工呼吸器。
【請求項２０】
請求項１９に記載の人工呼吸器において、
前記コントローラが、各時間間隔中に送られる換気ガスの測定累積量と、予め設定された最大量とを比較するとともに、前記測定累積量が最大量に到達または超過したときに前記供給態様から前記貯留態様に前記１またはそれ以上のバルブを切り換えることを特徴とする人工呼吸器。
【請求項２１】
人工呼吸器であって、
ハウジングと、
加圧換気ガスの供給源と、
吸気ラインを介して患者に送る換気ガスの流れを制御する前記ハウジング内のバルブと、
前記コンプレッサから患者に送られる換気ガスの流量を制限する流量制限器とを備え、前記流量制限器が、前記吸気ライン内でバルブの後に配置されていることを特徴とする人工呼吸器。
【請求項２２】
請求項２１に記載の人工呼吸器において、
前記流量制限器が、前記吸気ラインを介して患者に供給可能な最大流量を変更するために手動で調節可能であることを特徴とする人工呼吸器。
【請求項２３】
請求項２１に記載の人工呼吸器において、
前記流量制限器が、前記バルブを制御するコントローラから分離されていることを特徴とする人工呼吸器。
【請求項２４】
人工呼吸器であって、
ハウジングと、
加圧換気ガスの供給源と、
換気ガスを患者に送るために、前記ガスの供給源および吸気ラインと連通する前記ハウジング内の１またはそれ以上のバルブとを備え、
前記１またはそれ以上のバルブが、患者への換気ガスの流れを制御するために、完全に開いた状態と完全に閉じた状態の何れかのみで動作可能である１またはそれ以上のバルブを含むことを特徴とする人工呼吸器。
【請求項２５】
請求項１乃至２４の何れか一項に記載の人工呼吸器において、
任意の容器およびバルブの内部容積を含む、前記ソースラインから前記吸気ラインへの流路の内部容積が、少なくとも９００ｃｃであることを特徴とする人工呼吸器。
【請求項２６】
患者に人工呼吸を行うための換気デバイスであって、
圧力源と、
第１圧力容器と、
第２圧力容器と、
患者につながるように構成された管路とを備えることを特徴とするデバイス。
【請求項２７】
請求項２６に記載のデバイスにおいて、
第１バルブをさらに備え、前記圧力源が、前記第１バルブを介して前記圧力管路との間で流体が流通可能な状態となっていることを特徴とするデバイス。
【請求項２８】
請求項２６に記載のデバイスにおいて、
前記第１圧力容器および第２圧力容器が硬質容器であることを特徴とするデバイス。